(57)【要約】【課題】高振動の使用環境でも局部発振器の特性を良好に維持することが可能な防振構造を備えた無線中継装置を提供することを目的とする。【解決手段】  テレビジョン放送用の無線中継装置であって、局部発振器と、前記局部発振器を収容する受け金具と、前記局部発信器と前記受け金具との間に配置された平板状の防振材と、を具備し、前記局部発振器を前記受け金具から浮揚した状態で保持することを特徴とする無線中継装置。【選択図】図１
2012054782.tif 000002
【特許請求の範囲】
【請求項１】
テレビジョン放送用の無線中継装置であって、
局部発振器と、
前記局部発振器を収容する受け金具と、
前記局部発信器と前記受け金具との間に配置された平板状の防振材と、を具備し、
前記局部発振器を前記受け金具から浮揚した状態で保持することを特徴とする無線中継装置。
【発明の詳細な説明】
【技術分野】
【０００１】
本発明は、テレビジョン放送用の無線中継装置に関し、特に、内蔵される局部発振器の取り付け構造に関するものである。
【背景技術】
【０００２】
テレビジョン放送素材をマイクロ波回線で伝送する無線中継装置は、送信装置（高周波部と制御部）と、受信装置（高周波部と制御部）とで構成され、音声信号及び映像デジタル信号をマイクロ波で搬送し送信及び受信行う。送信装置及び受信装置のそれぞれの高周波部は、中継の際に屋外（地上）で使用されることが多いが、場合によってはヘリコプター等での中継に使用される場合もある。
【０００３】
マイクロ波は、高周波部に内蔵された局部発振器で基本周波数を設定している。局部発振器は、振動、衝撃により、特性が劣化することがある。このため、局部発信器を実装する場合には防振が必要となる。
【０００４】
例えば、特許文献１によれば、映像信号及び音声信号をデジタル変調した信号をＳＨＦまたはＵＨＦ帯域の信号に変換して移動中継車やヘリコプター等の移動体により空中線で送出する移動体用送信装置が開示されている。この中では、局部発信器が移動体外アンテナ部とは別の移動体内送信信号作成部に備えられることが開示されている。
【先行技術文献】
【特許文献】
【０００５】
【特許文献１】特開２００９−０３３５９７号公報
【発明の概要】
【発明が解決しようとする課題】
【０００６】
しかしながら、移動中継車等により地上で無線中継装置を使用する場合は内部に加わる振動は小さいが、ヘリコプターによる中継で無線中継装置を使用する場合、ヘリコプターのローター振動の影響により内部に大きな振動が加わる。このように、比較的大きな振動を受ける使用環境においては、十分な防振がなされなければ、局部発信器の特性に悪影響を与えるおそれがある。
【０００７】
この発明は上記事情に着目してなされたもので、その目的とするところは、高振動の使用環境でも局部発振器の特性を良好に維持することが可能な防振構造を備えた無線中継装置を提供することにある。
【課題を解決するための手段】
【０００８】
上記目的を達成するためにこの発明の１つの観点は、以下のような構成要素を備えている。すなわち、テレビジョン放送用の無線中継装置であって、局部発振器と、前記局部発振器を収容する受け金具と、前記局部発信器と前記受け金具との間に配置された平板状の防振材と、を具備し、前記局部発振器を前記受け金具から浮揚した状態で保持することを特徴とするものである。
【発明の効果】
【０００９】
すなわち、この発明の１つの観点によれば、局部発信器と受け金具との間に平板状の防振材が配置され、局部発信器が受け金具から浮揚した状態で保持されているため、地上での中継で使用される比較的低振動の環境のみならず、ヘリコプターのローター振動などの高振動の使用環境であっても、各方向からの振動に対して十分な防振効果を得ることが可能となる。したがって、高振動の使用環境であっても、局部発信器の特性を良好な状態に維持することが可能となる。
【００１０】
また、平板状の防振材を適用したことにより、局部発振器を防振材の面で受けるため、機械的な負荷を軽減することができ、防振材の損傷を防止することが可能となる。
【図面の簡単な説明】
【００１１】
【図１】図１は、本実施形態の無線中継装置を構成する局部発振器の防振構造を概略的に示す分解斜視図である。
【図２】図２は、図１に示した局部発振器の防振構造を概略的に示す断面図である。
【図３】図３は、比較例の無線中継装置を構成する局部発振器の防振構造を概略的に示す分解斜視図である。
【発明を実施するための形態】
【００１２】
以下、図面を参照してこの発明に係わる実施形態を説明する。  
図１は、本実施形態の無線中継装置を構成する局部発振器の防振構造を概略的に示す分解斜視図である。
【００１３】
すなわち、本実施形態の無線中継装置１は、テレビジョン放送用の無線中継装置であって、局部発振器２を搭載している。また、この無線中継装置１は、局部発振器２を収容する受け金具３と、局部発振器２と受け金具３との間に配置された防振材４と、を具備している。
【００１４】
図示した例では、無線中継装置１には、２台の局部発振器２Ａ及び２Ｂが搭載されている。これらの局部発振器２Ａ及び２Ｂは、それぞれ略直方体状に形成されている。受け金具３は、これらの局部発振器２Ａ及び２Ｂをそれぞれ個別に収容する。すなわち、受け金具３は、局部発振器２Ａを収容する第１受け金具３１、局部発振器２Ｂを収容する第２受け金具３２、及び、第１受け金具３１及び第２受け金具３２が取り付けられる第３受け金具３３によって構成されている。
【００１５】
第１受け金具３１及び第２受け金具３２は、それぞれ箱状に形成されている。
【００１６】
第１受け金具３１は、略長方形状の天板３１Ａ、天板３１Ａの長辺に対して略直角に折り曲げられた第１側壁３１Ｂ及び第２側壁３１Ｃ、及び、第１側壁３１Ｂ及び第２側壁３１Ｃのそれぞれの先端部に形成された第１フランジ部３１Ｄ及び第２フランジ部３１Ｅを有している。第１フランジ部３１Ｄ及び第２フランジ部３１Ｅには、それぞれネジ穴３１Ｈが形成されている。天板３１Ａ、第１側壁３１Ｂ、及び、第２側壁３１Ｃのそれぞれの内面には、平板状の防振材４が配置されている。
【００１７】
同様に、第２受け金具３２は、略長方形状の天板３２Ａ、天板３２Ａの長辺に対して略直角に折り曲げられた第１側壁３２Ｂ及び第２側壁３２Ｃ、及び、第１側壁３２Ｂ及び第２側壁３２Ｃのそれぞれの先端部に形成された第１フランジ部３２Ｄ及び第２フランジ部３２Ｅを有している。第１フランジ部３２Ｄ及び第２フランジ部３２Ｅには、それぞれネジ穴３２Ｈが形成されている。天板３２Ａ、第１側壁３２Ｂ、及び、第２側壁３２Ｃのそれぞれの内面には、平板状の防振材４が配置されている。
【００１８】
第３受け金具３３は、略長方形状の底板３３Ａ、底板３３Ａに対して略直角に折り曲げられた第１側壁３３Ｂ、第２側壁３３Ｃ、第３側壁３３Ｄ、及び、第４側壁３３Ｅを有している。底板３３Ａには、ネジ穴３３Ｈが形成されている。底板３３Ａ、第１側壁３３Ｂ、第２側壁３３Ｃ、第３側壁３３Ｄ、及び、第４側壁３３Ｅのそれぞれの内面には、平板状の防振材４が配置されている。本実施形態で適用される防振材４は、圧縮永久歪みが少ないシリコン材によって形成されている。このような材料で形成された防振材４では、振動を受けても防振性が復元することで防振効果を持続させる。
【００１９】
このような構成においては、防振材４が配置された第１受け金具３１に局部発振器２Ａが収容され、同様に、防振材４が配置された第２受け金具３２に局部発振器２Ｂが収容される。第１受け金具３１の第１フランジ部３１Ｄ及び第２フランジ部３１Ｅがネジ５により第３受け金具３３に取り付けられるとともに、第２受け金具３２の第１フランジ部３２Ｄ及び第２フランジ部３２Ｅがネジ５により第３受け金具３３に取り付けられる。これにより、２つの局部発振器２Ａ及び２Ｂが受け金具３に個別に収容される。  
このような受け金具３は、さらに、ネジ７により無線中継装置１の一部をなすベース部６に固定される。
【００２０】
図２は、図１に示した局部発振器２Ａ及び２Ｂの防振構造を概略的に示す断面図である。
【００２１】
図示したように、局部発振器２Ａと、第１受け金具３１の天板３１Ａ、第１側壁３１Ｂ、及び、第２側壁３１Ｃのそれぞれとの間には、防振材４が介在している。また、局部発振器２Ａと、第３受け金具３３の底板３３Ａとの間は、防振材４が介在している。図示を省略するが、局部発振器２Ａと、第３受け金具３３の第１側壁３３Ｂ及び第２側壁３３Ｃとの間も、防振材４が介在している。つまり、略直方体形状の局部発振器２Ａの６面（つまり、局部発振器２Ａの前後、左右、上下のそれぞれの面）すべてと受け金具３との間に防振材４が介在している。このような構成により、局部発振器２Ａは、第１受け金具３１及び第３受け金具３３に接触することなく、受け金具３から浮揚した状態で保持される。
【００２２】
同様に、局部発振器２Ｂと、第２受け金具３２の天板３２Ａ、第１側壁３２Ｂ、及び、第２側壁３２Ｃのそれぞれとの間には、防振材４が介在している。また、局部発振器２Ｂと、第３受け金具３３の底板３３Ａとの間は、防振材４が介在している。図示を省略するが、局部発振器２Ｂと、第３受け金具３３の第３側壁３３Ｄ及び第４側壁３３Ｅとの間も、防振材４が介在している。つまり、略直方体形状の局部発振器２Ｂの６面すべてと受け金具３との間に防振材４が介在している。このような構成により、局部発振器２Ｂは、第２受け金具３２及び第３受け金具３３に接触することなく、受け金具３から浮揚した状態で保持される。
【００２３】
このような構成の無線中継装置１によれば、局部発振器２が受け金具３から浮揚した状態で保持されているため、地上での中継で使用される比較的低振動の環境のみならず、ヘリコプターのローター振動などの高振動の使用環境であっても、各方向からの振動に対して十分な防振効果を得ることが可能となる。また、使用環境の振動の周波数が局部発振器２を収容する受け金具３の固有振動数と合致し共振した場合でも加速度を抑えることが可能となる。したがって、高振動の使用環境であっても、局部発信器２の特性を良好な状態に維持することが可能となる。
【００２４】
また、平板状の防振材４を適用したことにより、局部発振器２を防振材４の面で受けるため、機械的な負荷を軽減することができ、防振材４の損傷を防止することが可能となる。加えて、防振材４は、圧縮永久歪みが少ないシリコン材を用いて形成されているため、振動を受けても防振性が復元するので防振効果を持続することが可能となる。
【００２５】
次に、比較例の防振構造について説明する。
【００２６】
図３は、比較例の無線中継装置を構成する局部発振器の防振構造を概略的に示す分解斜視図である。
【００２７】
局部発振器２Ａ及び２Ｂは、取付金具１０に固定されている。取付金具１０の取付穴１０Ｈには、リング状の防振材１１及びハット状の防振材１２がカラー１３を軸として挿入される。これらは、ワッシャ１４及びネジ１５によりベース１６に固定されている。つまり、この比較例では、取付金具１０をベース１６から浮揚させる構造を採用している。
【００２８】
このような比較例では、ハット状の防振材１２が取付金具１０の取付穴１０Ｈに挿入されているため、ベース１６から伝わる振動により取付穴１０Ｈのエッジ部と防振材１２との摩擦を繰り返し、防振材１２が破損するおそれがある。特に、高振動の使用環境では、防振材１２が破損しやすく、十分な防振効果を得ることができない。
【００２９】
以上説明したように、本実施形態によれば、高振動の使用環境でも局部発振器の特性を良好に維持することが可能な防振構造を備えた無線中継装置を提供することができる。
【００３０】
なお、この発明は上記実施形態に限定されるものではない。例えば、上記した例では、局部発振器が２台である場合について説明したが、１台でも良いし３台以上であっても良い。
【００３１】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００３２】
１…無線中継装置
２（２Ａ、２Ｂ）…局部発振器
３…受け金具  ３１…第１受け金具  ３２…第２受け金具  ３３…第３受け金具
４…防振材
６…ベース
【図１】
2012054782.tif 000003
【図２】
2012054782.tif 000004
【図３】
2012054782.tif 000005